(57)【要約】      （修正有）【課題】サウナ対象室内に直接温水を噴霧し加湿を行うサウナ装置において、サウナ対象室内に大径の水滴を吹出すことなく、入浴者に水滴感を与えないサウナ装置を提供する。【解決手段】サウナ装置は外部を形成する外装体１及びフロントパネル２、浴室１０１内の空気を吸込み加熱加湿した後に再び浴室内に吹出すサウナモジュール３、浴室１０１に微細な水滴を噴霧するノズル、このノズルに高圧空気を供給するポンプ４、ポンプ４による吸引効果で酸素を富化した空気を生成する酸素生成ユニット５、プレート熱交換器６を含む熱供給部７、外装体１の一面に設けられ、送風路と連通する開口部８に接続された換気ユニット９、これらを制御する制御装置１０から構成され、水滴感をなくし、室内の酸素濃度を高め、入浴者の身体的負担を軽減する。【選択図】図１
2007252470.tif 000002
【特許請求の範囲】
【請求項１】
サウナ対象室内に水滴を直接噴霧し加湿を行う浴室サウナ装置であって、入浴者の水滴感をなくすようにしたことを特徴とするサウナ装置。
【請求項２】
圧縮空気と水を混合することで微細な水滴を生成し、生成した微細水滴を室内に供給することを特徴とするサウナ装置。
【請求項３】
圧縮空気を利用して微細な水滴を噴霧する噴霧手段と圧縮空気を生成する圧縮機と噴霧手段に水を供給する給水手段を備え、水を圧縮空気により微細な水滴として室内に噴霧するようにしたことを特徴とするサウナ装置。
【請求項４】
噴霧する水を加熱するための加熱手段を備え、加熱された水を圧縮空気により微細な水滴として室内に噴霧するようにしたことを特徴とする請求項３に記載のサウナ装置。
【請求項５】
サウナ対象室内の空気を循環送風する送風路及び送風機を有し、前記送風路内に前記微細水滴を噴霧し循環送風される空気とともにサウナ対象室内に微細水滴を搬送することを特徴とする請求項１、２、３または４に記載のサウナ装置。
【請求項６】
前記送風路内に空気を加熱する空気加熱手段を設けたことを特徴とする請求項１、２、３、４または５に記載のサウナ装置。
【請求項７】
前記空気加熱手段が前記送風路のサウナ対象室からの吸込口に設けられていることを特徴とする請求項６に記載のサウナ装置。
【請求項８】
酸素濃度の高い圧縮空気を利用して微細水滴を生成し、その生成した微細水滴を酸素濃度の高い空気とともに室内に供給することで室内の酸素濃度を高めながら高温高湿な状態にすることを特徴とする請求項１、２、３、４、５、６または７に記載のサウナ装置。
【請求項９】
圧縮空気により酸素濃度の高い空気を生成するための酸素富化手段を有し、酸素富化手段により得られた酸素濃度を高めた圧縮空気を利用して水を噴霧するようにしたことを特徴とする請求項８に記載のサウナ装置。
【請求項１０】
前記酸素富化手段が、シリコン系材料を用いた薄膜を介して空気を吸引することで酸素濃度の高い空気を得ることを特徴とする請求項９に記載のサウナ装置。
【請求項１１】
換気手段を有し、加熱加湿運転終了後にサウナ対象室内の換気乾燥を行うことを特徴とする請求項１、２、３、４、５、６、７、８、９または１０に記載のサウナ装置。
【発明の詳細な説明】
【技術分野】
【０００１】
本発明は、室内空気を加熱及び加湿することにより、室内をサウナ空間とするサウナ装置に関する。
【背景技術】
【０００２】
従来のサウナ装置としては、熱交換促進部材に温水を噴霧して蒸発させることにより浴室内に加湿空気を供給する方法がある（例えば、特許文献１参照）。
【０００３】
以下、そのサウナ装置について図９を参照しながら説明する。
【０００４】
図１０に示すように、浴室１０１の天井部１０２に設置されたサウナ装置１０３内部には、浴室１０１内の空気をサウナ装置１０３内部に取りこむための吸込口１０４、サウナ装置内部で昇温した空気を装置外に吹出す為の吹出口１０５、空気を循環させるための循環ファン１０６、空気を昇温するための熱交換器１０７、この熱交換器１０７に温水を供給するための温水循環経路１０８、温水循環経路１０８を循環する温水の循環を閉止するための循環水閉止弁１０９、加湿用の水を浴室１０１内に噴霧するためのノズル１１０、ノズルに加湿用の温水を供給するための加湿温水供給経路１１１、加湿温水供給経路１１１に供給する温水の供給を停止するための加湿水閉止弁１１２が設けられている。
【０００５】
サウナ装置１０３に設けられた温水循環経路１０８は外部配管１１３を介してボイラーなどの熱源１１４の暖房用温水循環回路１１５に接続され、熱源１１４から供給された温水をサウナ装置１０３内部に循環させる。温水循環経路１０８上に設けられた熱交換器１０７上で、循環ファン１０６により装置内に取り込まれた浴室１０１内空気と熱交換を行うことで浴室１０１内空気を昇温する。熱交換器１０７で熱交換を行う事により低温となった温水は温水循環経路１０８及び外部配管１１３を介して熱源１１４に戻り、再び昇温されてサウナ装置１０３に供給される。一方、循環ファン１０６により吸込口１０４からサウナ装置１０３内部に取りこまれた浴室１０１内空気は熱交換器１０７で昇温された後、吹出口１０５を通って浴室１０１内に戻される事で浴室１０１内の空気を昇温する。
【０００６】
これに対して、サウナ装置１０３に設けられた加湿用温水供給経路１１１は外部給湯配管１１６により、市水すなわち一般家庭用上水道から加湿用の水を供給される熱源１１４の給湯回路１１７に接続され、熱源１１４から供給された加湿用温水は外部給湯配管１１６を介してサウナ装置１０３内の加湿温水供給経路１１１に供給され、加湿温水供給経路１１１に接続されたノズル１１０から浴室１０１内へ細かい霧状に噴出されることで浴室１０１内の空気を加湿する。浴室１０１内に温水を直接噴霧することで加湿の効率を高め、より高湿な状態を作り出すことが可能となる。
【特許文献１】特開２００２−３３６３２７号公報（第５−７頁、第１図）
【発明の開示】
【発明が解決しようとする課題】
【０００７】
このような従来のサウナ装置では、ノズルから霧状の温水を直接浴室に噴霧するため、加湿の効率は高いものの、ノズルから噴霧した水滴が大粒の場合、水滴が入浴者に直接接触することとなる。このため、入浴者は完全に濡れた状態となり、サウナ対象室内で読書等を実施することも難しく、本来、入浴者がサウナに求めているリラクゼーション効果が薄れてしまうという課題があった。このように、入浴者が完全に濡れた状態となってしまう原因は、ノズルから噴霧される水滴が比較的大粒（１００〜３００μｍ程度）であることが主な原因で、ノズルから噴霧された後、完全に気化することなく入浴者まで到達してしまうためである。ノズルから噴霧する加湿用水の供給に当たっては通常、市水すなわち一般家庭用上水道を利用するが、市水の給水圧は０．１〜０．５ＭＰａ程度であるため、ノズルから噴霧される加湿用水の流速を高めることが難しく、このため、噴霧される水滴のサイズを上述した１００μｍ以下の水滴径とすることが難しく、結果として入浴者に水滴感を与えるものとなっている。
【０００８】
本発明はこのような従来の課題を解決するものであり、送水圧が低い場合でも充分に小径の水滴を供給することができ、ひいては入浴者に水滴感を与えることなく、また、入浴者を完全に濡らすことなくサウナへの入浴が可能となるサウナ装置を提供することを目的としている。また、入浴者へのリラクゼーション効果を増大させるとともに入浴者へのサウナ入浴の効果を高めることを目的としている。
【課題を解決するための手段】
【０００９】
本発明のサウナ装置は上記目的を達成するために、サウナ対象室内に水滴を直接噴霧し加湿を行うサウナ装置であって、噴霧される水滴径を１００μｍ以下にすることで入浴者の水滴感をなくすようにしたものである。
【００１０】
この手段により、入浴者を濡らすことのないサウナ装置を得ることができる。
【００１１】
また、本発明のサウナ装置は上記目的を達成するために、圧縮空気と水を混合することで水滴径が１００μｍ以下の微細な水滴を生成し、生成した微細水滴を室内に供給するようにしたものである。
【００１２】
この手段により、ノズルから噴霧する温水の圧力が低い場合においても微細な水滴（１００μｍ以下）を生成することが可能となり、入浴者を濡らすことのないサウナ装置を得ることができる。
【００１３】
また、本発明のサウナ装置は上記目的を達成するために、圧縮空気を利用して微細な水滴を噴霧する噴霧手段と圧縮空気を生成する圧縮機と噴霧手段に水を供給する給水手段を備え、水を圧縮空気により水滴径が１００μｍ以下の微細な水滴として室内に噴霧するようにしたものである。
【００１４】
この手段により、ノズルから噴霧する温水の圧力が低い場合においても微細な水滴（１００μｍ以下）を生成することが可能となり、入浴者を濡らすことのないサウナ装置を得ることができる。
【００１５】
また、本発明のサウナ装置は上記目的を達成するために、噴霧する水を加熱するための加熱手段を備え、加熱された水を圧縮空気により微細な水滴として室内に噴霧するようにしたものである。
【００１６】
この手段により、サウナ対象室内をより短時間で高温高湿な状態にすることが可能となる。
【００１７】
また、本発明のサウナ装置は上記目的を達成するために、サウナ対象室内の空気を循環送風する送風路及び送風機を有し、前記送風路内に前記微細水滴を噴霧し循環送風される空気とともにサウナ対象室内に微細水滴を搬送するようにしたものである。
【００１８】
この手段により、サウナ装置内部の送風路内で微細水滴を気化させることができ、より微細な水滴のみをサウナ対象室内に供給することが可能となる。
【００１９】
また、本発明のサウナ装置は上記目的を達成するために、前記送風路内に空気を加熱する空気加熱手段を有し、サウナ対象室内の空気を加熱するようにしたものである。
【００２０】
この手段により、生成した微細水滴の気化を促進し、サウナ対象室内をより高温高湿な状態とすることが可能となるとともに、入浴者与える水滴感を低減することが可能となる。
【００２１】
また、本発明のサウナ装置は上記目的を達成するために、前記空気加熱手段が前記送風路のサウナ対象室からの吸込口に設けるようにしたものである。
【００２２】
この手段により、通風路内に噴霧される微細水滴に対し、加熱された温風を供給することができ、これにより微細水滴の気化を促進することができ、サウナ対象室内により微細な水滴を供給することが可能となるとともに、サウナ対象室内を短時間で高温高湿な状態とすることができる。
【００２３】
また、本発明のサウナ装置は上記目的を達成するために、酸素濃度の高い圧縮空気を利用して微細水滴を生成し、その生成した微細水滴を酸素濃度の高い空気とともに室内に供給することで室内の酸素濃度を高めながら高温高湿な状態にするようにしたものである。
【００２４】
この手段により、サウナ対象室内の酸素濃度を高めることが可能となり、入浴者の身体的負担を軽減しながらサウナへの入浴をすることができる。
【００２５】
また、本発明のサウナ装置は上記目的を達成するために、圧縮空気により酸素濃度の高い空気を生成するための酸素富化手段を有し、酸素富化手段により得られた酸素濃度を高めた圧縮空気を利用して水を噴霧するようにしたものである。
【００２６】
この手段により、特別な酸素供給手段等を用いることなく、サウナ対象室内の酸素濃度を高めることが可能となり、入浴者の身体的負担を軽減しながらサウナへの入浴をすることができる。
【００２７】
また、本発明のサウナ装置は上記目的を達成するために、前記酸素富化手段を、シリコン系材料を用いた薄膜を介して空気を吸引することで酸素濃度の高い空気を得るようにしたものである。
【００２８】
この手段により、特別な酸素供給手段等を用いることなく、サウナ対象室内の酸素濃度を高めることが可能となり、入浴者の身体的負担を軽減しながらサウナへの入浴をすることができる。
【００２９】
また、本発明のサウナ装置は上記目的を達成するために、換気手段を有し、加熱加湿運転終了後にサウナ対象室内の換気乾燥を行うようにしたものである。
【００３０】
この手段により、サウナ入浴終了後にサウナ対象室内を換気乾燥することが可能となり、サウナ対象室内の清掃作業を簡素化させることができる。
【発明の効果】
【００３１】
本発明によれば、ノズルから噴霧する温水の圧力が低い場合においても微細な水滴（１００μｍ以下）を生成することが可能となり、入浴者を濡らすことのないサウナ装置を得ることができる。
【００３２】
また、サウナ対象室内をより短時間で高温高湿な状態にすることが可能となる。
【００３３】
また、サウナ装置内部の送風路内で微細水滴を気化させることができ、より微細な水滴のみをサウナ対象室内に供給することが可能となる。
【００３４】
また、生成した微細水滴の気化を促進し、サウナ対象室内をより高温高湿な状態とすることが可能となるとともに、入浴者与える水滴感を低減することが可能となる。
【００３５】
また、通風路内に噴霧される微細水滴に対し、加熱された温風を供給することができ、これにより微細水滴の気化を促進することができ、サウナ対象室内により微細な水滴を供給することが可能となるとともに、サウナ対象室内を短時間で高温高湿な状態とすることができる。
【００３６】
また、サウナ対象室内の酸素濃度を高めることが可能となり、入浴者の身体的負担を軽減しながらサウナへの入浴をすることができる。
【００３７】
また、特別な酸素供給手段等を用いることなく、サウナ対象室内の酸素濃度を高めることが可能となり、入浴者の身体的負担を軽減しながらサウナへの入浴をすることができる。
【００３８】
また、サウナ入浴終了後にサウナ対象室内を換気乾燥することが可能となり、サウナ対象室内の清掃作業を簡素化させることができる。
【発明を実施するための最良の形態】
【００３９】
本発明の請求項１記載の発明は、本発明のサウナ装置は上記目的を達成するために、サウナ対象室内に水滴を直接噴霧し加湿を行うサウナ装置であって、噴霧される水滴径を１００μｍ以下にすることで入浴者の水滴感をなくすようにしたものであり、入浴者を濡らすことのないサウナ装置を得ることができる。
【００４０】
また、圧縮空気と水を混合することで微細な水滴を生成し、生成した微細水滴をサウナ対象室内に供給するようにしたものであり、ノズルから噴霧する温水の圧力が低い場合においても微細な水滴（１００μｍ以下）を生成することが可能となり、入浴者を濡らすことのないサウナ装置を得ることができる。
【００４１】
また圧縮空気を利用して微細な水滴を噴霧する噴霧手段と圧縮空気を生成する圧縮機と噴霧手段に水を供給する給水手段を備え、水を圧縮空気により微細な水滴として室内に噴霧するようにしたものであり、ノズルから噴霧する温水の圧力が低い場合においても微細な水滴（１００μｍ以下）を生成することが可能となり、入浴者を濡らすことのないサウナ装置を得ることができる。
【００４２】
また、噴霧する水を加熱するための加熱手段を備え、加熱された水を圧縮空気により微細な水滴として室内に噴霧するようにしたものであり、サウナ対象室内をより短時間で高温高湿な状態にすることが可能となる。
【００４３】
また、サウナ対象室内の空気を循環送風する送風路及び送風機を有し、前記送風路内に前記微細水滴を噴霧し循環送風される空気とともにサウナ対象室内に微細水滴を搬送するようにしたものであり、サウナ装置内部の送風路内で微細水滴を気化させることができ、より微細な水滴のみをサウナ対象室内に供給することが可能となる。
【００４４】
また、前記送風路内に空気を加熱する空気加熱手段を有し、サウナ対象室内の空気を加熱するようにしたものであり、生成した微細水滴の気化を促進し、サウナ対象室内をより高温高湿な状態とすることが可能となるとともに、入浴者与える水滴感を低減することが可能となる。
【００４５】
また、前記空気加熱手段が前記送風路のサウナ対象室からの吸込口に設けるようにしたものであり、通風路内に噴霧される微細水滴に対し、加熱された温風を供給することができ、これにより微細水滴の気化を促進することができ、サウナ対象室内により微細な水滴を供給することが可能となるとともに、サウナ対象室内を短時間で高温高湿な状態とすることができる。
【００４６】
また、酸素濃度の高い圧縮空気を利用して微細水滴を生成し、その生成した微細水滴を酸素濃度の高い空気とともに室内に供給することで室内の酸素濃度を高めながら高温高湿な状態にするようにしたものであり、サウナ対象室内の酸素濃度を高めることが可能となり、入浴者の身体的負担を軽減しながらサウナへの入浴をすることができる。
【００４７】
また、圧縮空気により酸素濃度の高い空気を生成するための酸素富化手段を有し、酸素富化手段により得られた酸素濃度を高めた圧縮空気を利用して水を噴霧するようにしたものであり、特別な酸素供給手段等を用いることなく、サウナ対象室内の酸素濃度を高めることが可能となり、入浴者の身体的負担を軽減しながらサウナへの入浴をすることができる。
【００４８】
また、前記酸素富化手段を、シリコン系材料を用いた薄膜を介して空気を吸引することで酸素濃度の高い空気を得るようにしたものであり、特別な酸素供給手段等を用いることなく、サウナ対象室内の酸素濃度を高めることが可能となり、入浴者の身体的負担を軽減しながらサウナへの入浴をすることができる。
【００４９】
また、換気手段を有し、加熱加湿運転終了後にサウナ対象室内の換気乾燥を行うようにしたものであり、サウナ入浴終了後にサウナ対象室内を換気乾燥することが可能となり、サウナ対象室内の清掃作業を簡素化させることができる。
【００５０】
以下、本発明の実施の形態について図面を参照しながら説明する。
【００５１】
（実施の形態１）
以下、本発明の実施の形態について図面を参照しながら説明する。なお、従来の例と同一の構成要素については同一の符号を用い、詳細な説明は省略する。
【００５２】
まず本発明におけるサウナ装置の概略構成について説明する。
【００５３】
図１は本発明の実施の形態におけるサウナ装置の概略構成を示す簡易的な分解図である。
【００５４】
図１に示すように、このサウナ装置１０３は外郭を形成する外装体１及びフロントパネル２、浴室１０１内の空気を吸込み加熱加湿した後に再び浴室内に吹出すサウナモジュール３、浴室１０１に微細な水滴を噴霧するためのノズル１１０、このノズル１１０に高圧の空気を供給するためのポンプ４、ポンプ４による吸引効果で酸素を富化した空気を生成する酸素生成ユニット５、プレート熱交換器６を含む熱供給部７、外装体１の一面に設けられ、送風路と連通する開口部８に接続された換気ユニット９、またこれらを制御する制御装置１０から構成されている。
【００５５】
なお、本発明でいう微細な水滴とは入浴者が水滴感を感じなくなるサイズの水滴径であり、一例を挙げると水滴径が１００μｍ以下のものをいう。
【００５６】
以下にそれぞれの具体的な構成について記す。
【００５７】
図２に示すように外装体１の浴室１０１側一面を形成するフロントパネル２は、浴室１０１内の空気を吸込むための吸込口１０４、加熱及び加湿した空気をサウナ装置１０３の外部に吹出すための吹出口１０５を備えている。また、吸込口１０４のサウナモジュール３側にはフィルター１１を備えており、浴室１０１内空気を循環させる際に微細な塵や埃の侵入を防止する構造となっている。また、吹出口１０５部には加熱加湿された空気の吹出方向を可変させるためのルーバー１２が設けられており、ルーバー１２は制御装置１０に接続されたルーバー駆動モータ１３により自在に稼動することで任意の方向に吹出方向を可変させることができる。フロントパネル２には浴室１０１内に温水を噴霧するためのノズル１１０を取り付けるための取り付け部１４が設けられており、取り付け部１４に取り付けられたノズル１１０から温水を浴室１０１内に噴霧することにより浴室１０１内を加湿しサウナ空間とする。
【００５８】
図３に示すようにサウナモジュール３内には、フロントパネル２の吸込口１０４および吹出口１０５を連結する送風路１５が設けられており、送風路１５の吸込口１０４側に備えられた、制御装置１０により回転数を自在に変更可能なモータ１６に接続されたクロスフローファンを用いた循環ファン１０６が回転することでサウナモジュール３内に空気を送風する。循環ファン１０６の上流側には空気加熱用のコイルを用いた熱交換器１０７を備えており、この熱交換器１０７に熱供給部７より温水を供給することで熱交換器１０７を通って浴室１０１から流入する空気が加温され、高温の空気を送風することが可能となる。この際、吹出口１０５より吹出される空気の温度は一例として６０℃程度である。
【００５９】
図４に示す熱供給部７において、熱源１１４より供給された循環温水は、分岐部１７により加熱用温水循環回路１８と加湿用温水循環回路１９の二つの経路に分岐される。加熱用温水循環回路１８は熱交換器１０７に接続され、この熱交換器１０７を加温する。熱交換器１０７は図５に示すように、加熱用温水循環回路１８から供給された加熱用循環温水を流通させる通水管２０と、通水管２０外壁部に設けられた伝熱用フィン２１から構成され、通水管２０内を流通する高温の加熱用循環温水により伝熱用フィン２１を加熱し、伝熱用フィン２１部に空気を流通させることで空気と熱交換を行い空気を加熱する。加湿用温水循環回路１９はプレート熱交換器６に接続されプレート熱交換器６を加温する。プレート熱交換器６は図６に示すように、伝熱壁２２によって遮られた高温側経路２３と低温側経路２４の２つの経路を交互に配置して構成され、加湿用循環温水を高温側経路２３に流通させるとともに低温側経路２４に加湿に使用する加湿水を対向する方向に流通させることで伝熱壁２２を通じて熱交換を行い低温側の液体を加熱する。
【００６０】
熱交換器１０７及びプレート熱交換器６を出た循環温水は再び加熱用温水循環回路１８及び加湿用温水循環回路１９を経て、合流部２５へと流入し、一つの経路に合流した循環温水は熱源１１４へと戻り、再び加熱されて供給を繰り返す。
【００６１】
市水すなわち一般家庭用上水道に接続された液体供給手段２６より供給された水道水は、給水経路２７を通りプレート熱交換器６の低温側経路２４に接続する。プレート熱交換器６を出た水道水は再び給水経路２７を経てノズル１１０へと流入する。熱交換して高温となった給水経路２７の水道水は、ノズル１１０から噴霧され微細な温水滴となり、加温された浴室１０１内空気とともに浴室１０１内に吹出する。
【００６２】
ノズル１１０は図７に示すように給水経路２７から供給された温水を噴霧するための温水噴霧口２８とポンプ４から供給された高圧空気を噴出させるための空気噴出口２９が設けられている。温水噴霧口２８と空気噴出口２９は近接して設けられており、温水噴霧口２８から噴霧された温水噴流に空気噴出口２９から噴霧された高速空気噴流を衝突させることで温水を微細な水滴（水滴径１００μｍ以下）に破砕する。この際、温水噴霧口２８及び空気噴出口２９の開口面積はそれぞれの開口を通過する温水及び空気の流量に対して充分小さく、それぞれの流体を高速で噴出させることが望ましい。それぞれの流体の流出速度は温水が１ｍ／ｓ以上、空気側が１０ｍ／ｓ以上の流速で噴出させることによって生成する水滴の水滴径を１００μｍ以下とすることが可能となる。この際の温水及び空気の噴出前の圧力は一例として温水が０．２ＭＰａ程度、空気側が１０ｋＰａ程度とすることで上記の流速を満足することができる。
【００６３】
ポンプ４の吸込口に接続された酸素生成ユニット５は図８に示すようにシリコンの薄膜３０を基材上に形成した酸素富化膜３１を介して空気を吸引する構成となっている。シリコンの薄膜３０を介して空気を吸引した場合、シリコンの薄膜３０を通過する際に窒素や二酸化炭素などの成分に比べ酸素の透過速度が速いという特性を持つため、酸素富化膜３１を介して空気を吸引することで酸素濃度の高い空気を得ることが可能となる。このようにして得られた酸素濃度の高い空気はポンプ４により圧送され、ノズル１１０へと供給される。
【００６４】
加熱用温水循環回路１８を経て熱交換器１０７に流入した温水は、この熱交換器１０７内部において循環ファン１０６により送風路１５を通風する浴室１０１内空気と熱交換を行う。熱交換して高温となった浴室１０１内空気をこの浴室１０１に再び吹出することで、浴室１０１内を加温する。
【００６５】
また、加熱用温水循環回路１８および加湿用温水循環回路１９の２つの流路には流通を遮断する熱動弁を用いた循環水閉止弁１０９を設け、熱交換器１０７及びプレート熱交換器６に流入する循環温水の流量を調節することで、加熱及び加湿量を変更可能にする。循環水閉止弁１０９とは電力を供給することで弁体に連結された弁支持体の温度を上昇させ、弁支持体を膨張変形させることで弁の開閉を行う方式の弁である。また、給水経路２７上のプレート熱交換器６上流側には電磁弁を用いた加湿水閉止弁１１２を設け、給水を開閉制御することで加湿水の供給量を変更可能にする。加湿水閉止弁１１２とは電気信号により電磁力を利用した弁が開閉する方式の弁である。
【００６６】
図９に示す換気ユニット９は、浴室１０１内空気を換気ユニット９に吸込むための換気用ファン３２と空気の排気経路である排気ダクト３３から構成されており、外装体１の一面に設けられた開口部８と開口部８の開口面積を可変させるためのダンパ３４を介して接続している。ダンパ３４は通常サウナ運転時には閉じられているが、制御装置１０に接続されたダンパ駆動用モータ３５により開閉可能であり、換気用ファン３２を回転させるとともにダンパ３４を開くことで浴室１０１内空気を吸込口１０４より換気ユニット９内に通風し、排気ダクト３３より吹出することで浴室１０１内の換気を行う。換気量の調整はダンパ３４の開口面積の変更及び換気用ファン３２の回転数制御により行い、これらの組み合わせにより必要とする換気量を実現する。
【００６７】
サウナ運転を開始すると、サウナモジュール３内のモータ１６が作動することで循環ファン１０６が回転し、吸込口１０４より浴室１０１内の空気を吸入し、送風路１５を通り吹出口１０５から再び浴室１０１内に流出することで浴室１０１内空気を循環する。その時、加熱用温水循環回路１８および加湿用温水循環回路１９の開閉手段である循環水閉止弁１０９、及び給水経路２７の開閉手段である加湿水閉止弁１１２が開かれ、装置内において加熱及び加湿が開始する。この際、フロントパネル２に設けてあるルーバー１２が開放し、加熱加湿された空気の吹出方向を制御する。
【００６８】
ある程度時間経過し、浴室１０１内の温湿度が所定の値に達したら、モータ１６の回転数を変更し、加熱及び加湿量を変更する。その後、更にある程度時間経過し浴室１０１内の温湿度が所定の値を超えたら、浴室１０１内の温湿度を調節するためにモータ１６の回転数を変更し、加熱用温水循環回路１８及び加湿用温水循環回路１９に備えられた循環水閉止弁１０９及び給水経路２７に設けられた加湿水閉止弁１１２の開閉繰り返すことで浴室１０１内の温湿度の制御を行う。
【００６９】
サウナ運転停止時には、サウナモジュール３内モータ１６の運転を停止し、加熱用温水循環回路１８及び加湿用温水循環回路１９に備えられた循環水閉止弁１０９及び給水経路２７に設けられた加湿水閉止弁１１２を閉じる。その後、浴室１０１内の乾燥のために換気運転を行うため、外装体１と換気ユニット９の連結部に設けられたダンパ３４を開き、換気ユニット９内の換気用ファン３２を回転させることでサウナ装置１０３の吸込口１０４より流入した浴室１０１内空気を排気ダクト３３より浴室１０１外へと排出する。
【００７０】
前述したような動作を実施することでサウナ対象室（浴室１０１）内は高温高湿の状態となり、入浴者に発汗を促す程度のミストサウナ状態とすることが可能となる。なお、本発明で言う高温高湿な状態とは、入浴者が充分に発汗することが可能な温湿度状態をいい、一例をあげると、温度が４０℃程度、相対湿度が８０％程度の状態をいう。また、酸素生成ユニット５により酸素濃度の高い空気を供給するため、浴室１０１内の空気中の酸素濃度は通常の大気よりも酸素濃度の高い状態となり、入浴者の高温高湿下における身体的負担を軽減することができる。なお、本発明中でいう酸素濃度の高い状態とは通常の空気中に含まれる酸素濃度２１％よりも高い状態をいい、一例をあげると約２３％以上の酸素濃度の状態をいう。
【００７１】
上述のような構成のサウナ装置を用いることで、浴室内に直接温水を噴霧するため、浴室内を効率よく加湿し、高湿度な状態とすることができる。また、圧縮空気を利用した微細水滴生成手段（本発明におけるノズル１１０）を用いることで入浴者に大粒の水滴（水滴径１００μｍ以上）が到達することなく空間内で気化する状態となるため、入浴者が濡れることなく水滴感のない状態でサウナに入浴することが可能となる。
【００７２】
なお、本実施の形態においてはサウナ対象室を浴室として説明をしたが、高湿度空間になった場合の結露等の問題を解決できるのであれば浴室に限定するものではなく、サウナ専用の空間を別途設ける構成としてもその作用効果に差異を生じない。
【００７３】
また、本実施の形態においての循環ファン１０６を駆動するモータ１６は制御装置１０により回転数を自在に変更可能なモータ１６を用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【００７４】
また、本実施の形態において循環ファン１０６は、クロスフローファンを用いて送風路１５内に浴室内の空気を送風したが、風量や消費電力、騒音や振動等の条件を満足するのであればシロッコファン、ターボファン、プロペラファンなどの別方式のファンであっても問題なく、その作用効果に差異を生じない。
【００７５】
また、本実施の形態においては送風空気を加温する手段としてフィンチューブ式のコイル１０７を用いたが、送風空気を充分に加温できるのであれば他の加温手段を用いても全く問題は無く、循環ファン１０６の前方にヒータ、その他の熱源体を用いても、その作用効果に差異を生じない。
【００７６】
また、本実施の形態においてはノズル１１０において温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるようにノズル１１０より噴出する加湿水の温度を適宜設定することが望ましい。
【００７７】
また、本実施の形態において加湿水の昇温手段としてプレート熱交換機６を用いたが、効率良く双方の熱交換ができるのであれば他の手段を用いても問題は無く、二重管式やシェルチューブ式の熱交換器等を用いてもその作用効果に差異を生じない。
【００７８】
また、本実施の形態においては加熱用温水循環回路１８及び加湿用温水循環回路１９の開閉手段として循環水閉止弁１０９を用いたが、何らかの制御手段を用いて回路を開閉できるのであれば他の手段を用いても問題は無く、加湿水閉止弁１１２等を用いてもその作用効果に差異を生じない。なお望ましくは制御装置１０による温湿度の制御が可能な流量調節弁であり且つ制御信号に対する応答性の良いものが好ましい。
【００７９】
また、本実施の形態においては給水経路２７の開閉手段として加湿水閉止弁１１２を用いたが、、何らかの制御手段を用いて回路を開閉できるのであれば他の手段を用いても全く問題は無く、循環水閉止弁１０９等を用いてもその作用効果に差異を生じない。なお望ましくは制御装置１０による温湿度の制御が可能な流量調節弁であり且つ制御信号に対する応答性の良いものが好ましい。
【産業上の利用可能性】
【００８０】
以上のように本発明にかかるサウナ装置は、水滴感を感じさせること無く充分な加湿を得られるものであり、浴室以外の居室を換気空調する装置と併用することで居室の加温加湿を行う用途にも適用できる。
【図面の簡単な説明】
【００８１】
【図１】本発明の実施例１のサウナ装置を示す概略図
【図２】同フロントパネルの概略図
【図３】同サウナモジュールの概略図
【図４】同熱供給部の概略図
【図５】同コイル部の概略図
【図６】同プレート熱交の概略図
【図７】同ノズルの概略図
【図８】同酸素生成ユニットの概略図
【図９】同換気ユニットの概略図
【図１０】従来のサウナ装置を示す概略図
【符号の説明】
【００８２】
１      外装体
２      フロントパネル
３      サウナモジュール
４      ポンプ
５      酸素生成ユニット
６      プレート熱交換器
７      熱供給部
８      開口部
９      換気ユニット
１０    制御装置
１１    フィルター
１２    ルーバー
１３    ルーバー駆動モータ
１４    取り付け部
１５    送風路
１６    モータ
１７    分岐部
１８    加熱用温水循環回路
１９    加湿用温水循環回路
２０    通水管
２１    伝熱用フィン
２２    伝熱壁
２３    高温側経路
２４    低温側経路
２５    合流部
２６    液体供給手段
２７    給水経路
２８    温水噴霧口
２９    空気噴出口
３０    薄膜
３１    酸素富化膜
３２    換気用ファン
３３    排気ダクト
３４    ダンパ
３５    ダンパ駆動用モータ
１０１  浴室
１０２  天井部
１０３  サウナ装置
１０４  吸込口
１０５  吹出口
１０６  循環ファン
１０７  熱交換器
１０８  温水循環経路
１０９  循環水閉止弁
１１０  ノズル
１１１  加湿温水供給経路
１１２  加湿水閉止弁
１１３  外部配管
１１４  熱源
１１５  暖房用温水循環回路
１１６  外部給湯配管
１１７  給湯回路
【図１】
2007252470.tif 000003
【図２】
2007252470.tif 000004
【図３】
2007252470.tif 000005
【図４】
2007252470.tif 000006
【図５】
2007252470.tif 000007
【図６】
2007252470.tif 000008
【図７】
2007252470.tif 000009
【図８】
2007252470.tif 000010
【図９】
2007252470.tif 000011
【図１０】
2007252470.tif 000012